(57)【特許請求の範囲】
【請求項１】
互いに或るパターンに従って配された相互に隣接する光学サブ素子が設けられた光学素子の製造に使用されるモールドを製造する方法であって、前記モールドには、当該方法によって前記光学サブ素子のパターンに対応するモールド形状が与えられ、前記モールドは、延性金属から製造され、前記光学サブ素子の形状に対応するダイス面が設けられ且つ前記パターンに従って連続的な位置に所定の力で前記モールドに押されるダイスにより前記モールド形状が与えられ、前記モールドが、前記ダイスにより前記モールド形状が施される間、液体槽に浸される方法。
【請求項２】
互いに或るパターンに従って配された相互に隣接する光学サブ素子が設けられた光学素子を製造する方法であって、モールドには、当該方法によって前記光学サブ素子のパターンに対応するモールド形状が与えられ、前記光学素子は、前記モールドを用いて複製技術により製造され、前記モールドは、延性金属から形成され、前記光学サブ素子の形状に対応するダイス面が設けられ且つ前記パターンに従って連続的な位置に所定の力で前記モールドに押されるダイスにより前記モールド形状が与えられ、前記モールドが、前記ダイスにより前記モールド形状が施される間、液体槽に浸される方法。
【請求項３】
請求項１又は２に記載の方法であって、前記モールドは、前記光学素子に要求される面の滑らかさを前記モールドに予め施した後に前記ダイスにより前記モールド形状が設けられる、方法。
【請求項４】
請求項１ないし３のうちいずれか１つに記載の方法であって、前記延性金属は、銅、アルミニウム又は亜鉛を有する、方法。
【請求項５】
請求項１ないし４のうちいずれか１つに記載の方法であって、前記ダイスは、球状ダイス面が設けられ、六角形パターンに従って前記モールドに押される、方法。
【請求項６】
請求項１ないし５のうちいずれか１つに記載の方法であって、前記ダイスは、平坦なダイス面を持ち且つ直交パターンに従って前記モールドに押されるとともに、前記ダイスは、前記パターンの連続的な位置において前記ダイス面の中心で互いに交差し且つ相互に垂直な２つのピボット軸を中心に所定の角度分回動させられる、方法。
【請求項７】
請求項１ないし６のうちいずれか１つに記載の方法を実施する装置であって、前記モールドを固定するための加工品ホルダと、前記ダイスを固定するためのツールホルダと、位置決め装置とが設けられ、前記ツールホルダは、前記位置決め装置によって前記加工品ホルダに対して移動可能な直線ガイドと、前記直線ガイドに対して摺動可能に案内され且つ所定の弾性プリテンション力の作用の下で前記直線ガイドの止めに当たるダイスホルダとを具備する装置。
【請求項８】
請求項６に記載の方法を実施する請求項７に記載の装置であって、前記ダイスホルダは、前記直線ガイドに対して摺動可能に案内される第１の担体と、前記第１の担体のピボットガイドに対して回動可能な第２の担体と、前記第２の担体のピボットガイドに対して回動可能な第３の担体とが備えられ、前記ダイスは、前記第３の担体に固定され、前記相互に垂直な２つのピボット軸は、それぞれ、前記第１の担体のピボットガイドの仮想軸及び前記第２の担体のピボットガイドの仮想軸を形成する、装置。
【請求項９】
液晶表示パネルを製造する方法であって、前記液晶表示パネルは、マイクロレンズアレイと、画像表示素子のパターンを有し且つ光が入射する側において前記マイクロレンズアレイと隣接する液晶層とを具備し、前記マイクロレンズアレイの各光学サブ素子が、前記液晶層の前記画像表示素子の１つに対応し、前記マイクロレンズアレイは、請求項２ないし５のうちいずれか１つに記載の方法により製造される光学素子である、液晶表示パネル製造方法。
【請求項１０】
画像表示装置を製造する方法であって、前記画像表示装置は、光放射源と、ビーム形成光学システムと、少なくとも１つの画像表示パネルを持つ画像表示システムと、投影レンズのシステムと、画像投影スクリーンとをこの順に具備し、前記画像表示パネルは、前記光放射源に対向する側にマイクロレンズアレイが設けられ、前記マイクロレンズアレイは、請求項２ないし５のうちいずれか１つに記載の方法により製造される光学素子である、画像表示装置製造方法。
【請求項１１】
フラットパネル表示装置を製造する方法であって、前記フラットパネル表示装置は、証明ビームを供給するための照明システムと、表示されるべき画像情報を変調するための規定パターンの画像表示素子を持つ画像表示パネルとをこの順に備え、マイクロレンズアレイが、前記照明システムと前記画像表示パネルとの間に配され且つ前記画像表示パネルの前記パターンの画像表示素子に対応する光学サブ素子のパターンが設けられ、前記マイクロレンズアレイは、請求項２ないし５のうちいずれか１つに記載の方法により製造される光学素子である、フラットパネル表示装置製造方法。
【請求項１２】
固体画像センサ装置を製造する方法であって、前記固体画像センサ装置は、電荷結合素子と放射線を電荷に変換する画像センサ素子のパターンとが表面に設けられ且つ当該放射線の入射側においてマイクロレンズアレイに隣接する半導体本体を有し、前記マイクロレンズアレイの各光学サブ素子が前記半導体本体の画像センサ素子に対応し、前記マイクロレンズアレイは、請求項２ないし５のうちいずれか１つに記載の方法により製造される光学素子である、固体画像センサ装置製造方法。
【請求項１３】
カメラを製造する方法であって、前記カメラは、対物レンズシステムと、前記対物レンズシステムに対向する側にマイクロレンズアレイが設けられる少なくとも１つの固体画像センサ装置を持つ画像センサシステムとをこの順に具備し、前記マイクロレンズアレイは、請求項２ないし５のうちいずれか１つに記載の方法により製造される光学素子である、カメラ製造方法。
【請求項１４】
カラー画像管用のフロントパネルを製造する方法であって、前記フロントパネルの内側に感光性材料の層が設けられ、前記フロントパネルが、前記フロントパネルの内側に配されたシャドウマスクを介して点型光源によって照明され、光学素子が前記シャドウマスクと前記点型光源との間に配され、前記光学素子は、請求項６に記載の方法により製造される、フロントパネル製造方法。
【発明の詳細な説明】
技術分野
本発明は、互いに或るパターンに従って配された相互に隣接する光学サブ素子が設けられた光学素子の製造に使用されるモールドを製造する方法に関する。この方法によって、前記モールドに、前記光学サブ素子のパターンに対応するモールド形状が与えられる。
本発明は、互いに或るパターンに従って配された相互に隣接する光学サブ素子が設けられた光学素子を製造する方法にも関する。この方法によって、モールドに前記光学サブ素子のパターンに対応するモールド形状が与えられ、前記光学素子は、前記モールドを用いて複製技術により製造される。
本発明は、本発明による方法を実施する装置にも関する。
本発明は更に、本発明による方法を実施する装置での使用に適したダイスホルダに関する。
本発明は、本発明による方法により製造される光学素子が設けられる液晶表示パネルにも関する。
本発明は更に、本発明による方法により製造される光学素子が設けられる画像表示装置に関する。
本発明は、本発明による方法により製造される光学素子が設けられるフラットパネル表示装置にも関する。
本発明は、本発明による方法により製造される光学素子が設けられる固体画像センサ装置にも関する。
本発明は、本発明による方法により製造される光学素子が設けら得るカメラにも関する。
本発明は更に、カラー画像管用のフロントパネルを製造する方法に関する。この方法では、本発明による方法によって製造される光学素子が使用される。
本発明は、カラー画像管用のフロントパネルの製造のための装置にも関する。この装置は、本発明の方法によって製造された光学素子が設けられる。
背景技術
冒頭で述べたようなモールドを製造する方法及び光学素子を製造する方法は、日本国特許公開公報昭和５８−１７１０２１号から既知である。この既知の方法で製造される光学素子は、いわゆるレンズアレイと呼ばれ、球面レンズの二次元アレイを有する。この既知の方法によれば、レンズアレイに対応するダイスは、各々がレンズアレイのレンズに対応する球状ダイス面を有し且つレンズアレイの多数のレンズに対応する多数のサブダイスが、レンズアレイのパターンで隣接するように製造される。ダイスは、プレス機によって、粘土質セラミック材料から作られるモールドに押され、この結果、モールドにはレンズアレイに対応するモールド形状が与えられ、そのモールドの粘土質セラミック材料は熱材処理より硬化する。次に、そのモールドに溶融した合成材料が流され、圧力がかけられ、冷却され、この結果、モールド形状に対応する合成樹脂レンズアレイが形成される。
この既知の方法の欠点は、ダイスの各サブダイスに、個別にレンズアレイのレンズに対応するダイス面を正確に設けなければならないため、この既知の方法で使用されるダイスの製造が複雑であり、時間がかかることである。この理由のため、この既知の方法は、１ｍｍ若しくは０．１ｍｍの直径又はそれ以下の直径の多数のマイクロレンズを有するいわゆるマイクロレンズアレイの製造には特に適さない。加えて、ダイスがモールドに押されているときにその粘土質セラミック材料はサブダイスの間の隙間に十分に入り込むことができないため、モールドには、レンズアレイの個々のレンズに対応する隣接するサブモールド間に、はっきりとした境界が現れない。この結果、既知の方法によって製造されるレンズアレイの個々のレンズは互いになめらかに結合し、レンズアレイの光学的に有効な表面領域が、レンズアレイのレンズの間のなめらかな境界により制限を受ける。
発明の開示
本発明の目的は、冒頭で言及したような種類のモールドを製造する方法及び光学素子を製造する方法であって、上記の既知の不利な点をできるだけ避け、その結果、複雑でなく且つ消費時間が少ないやり方でモールド及び光学素子が製造され、この方法により製造される光学素子が広い光学的有効表面両面を有する方法を提供することである。
本発明によれば、この目的のため、モールドを製造する方法及び光学素子を製造する方法は、前記モールドが延性金属から製造され、前記光学サブ素子の形状に対応するダイス面が設けられ且つ前記パターンに従って連続的な位置に所定の力で前記モールドに押されるダイスにより、前記モールドに前記モールド形状が与えられることを特徴とする。このダイスは上記パターンに従ってモールドの連続する位置に（即ち、光学素子のサブ素子の数に対応する回数）押される。このことは、光学サブ素子に対応するダイス面が、ダイスの製造中に、正確なやり方で一度作られる必要があるだけであることを意味する。モールドでのダイスのレプリカを作るために要求される時間が光学サブ素子に対応するダイス面を作るために必要な時間と比較して非常に短いため、本発明による方法は、比較的短い時間で実施できる。要求されるダイスは比較的簡単な構造を持ち、そのダイスは、それ自体一般的且つ既知の位置決め装置によって、モールドに対して上記パターンに従う連続的な位置に位置決めすることができる。ダイスが毎時所定の力でモールドに押されるため、個々の光学サブ素子に対応するモールド形状の連続的なサブ形状は略同一形状を持つ。ダイスがモールドを押す力を適切に選択することによって、モールドの延性金属が専らモールドとダイスとの間の接触面の領域で可塑的に変形し、上記接触面の周りの変形は無視できるほど小さいということが達成され、この結果、モールドに既に設けられ且つ光学サブ素子に対応するサブ形状は、隣接するサブ形状を形成してもこれ以上変形しない。ダイスがパターンに従って連続的な位置でモールドに押されるため、ダイス面に隣接する延性金属は最適に変形し、そのため、サブ形状の間にはっきりとした境界が形成される。従って、このように製造されたモールドは特に高い寸法精度を持ち、このモールドにより形成される光学素子は、高い寸法精度及び広い光学的有効表面領域を持つ。
本発明による特別な実施例は、前記光学素子に要求される面の滑らかさが前記モールドに予め設けられた後、前記ダイスにより前記モールドに前記モールド形状が設けられることを特徴とする。延性金属はモールド形状の製造の間に可塑的に変形する。このため、ダイスは上記所定の力でモールドに押されるが、変形前の延性金属の面の滑らかさが実質的に維持される。先ず、光学素子に要求される面の滑らかさの光学品質がモールドに設けられ、次にダイスによってモールド形状が与えられた場合、モールド形状と、モールドによって製造される光学素子とは、所望の面の滑らかさを有する。
本発明による方法の他の実施例は、前記モールドが、前記ダイスにより前記モールド形状が施される間、液体槽に浸されることを特徴とする。モールドを液体槽に浸すことによって、空気中に存在する埃及び塵の粒子がダイスとモールドとの間に入り込んでダイスにより製造されるべきモールド形状に損傷を与えることが、簡単且つ効果的なやり方で防止される。
本発明による方法の更に他の実施例は、前記延性金属が、銅、アルミニウム又は亜鉛を有することを特徴とする。上記金属は、良好な変形性のため、本発明による方法で使用されることに際だって適している。
本発明による方法の特別な実施例は、前記ダイスは球状ダイス面が設けられ、前記ダイスは六角形パターンに従って前記モールドに押されることを特徴とする。この方法の実施例により製造される光学素子は、実質的に制限を受けない光学的有効表面領域を持つ球面レンズの二次元六角形マトリクスを有する。
本発明による方法の他の実施例は、前記ダイスが平坦なダイス面を持ち且つ直交パターンに従って前記モールドに押され、前記パターンの連続的な位置において、前記ダイスが、前記ダイス面の中心で互いに交差し且つ相互に垂直な２つのピボット軸を中心に所定の角度を回動することを特徴とする。この実施例の方法により製造される光学素子は、二次元直交マトリクスのファセットを有するいわゆるファセットレンズである。このファセットレンズの各ファセットは、ファセットレンズの基準面に対して、その基準面に平行に延在する相互に垂直な二つのピボット軸を中心に回動した平坦なレンズ面を有する。ダイスがパターンの連続位置で回動する角度は予め規定され、その結果、対応するファセットが異なるピボット角度を持つファセットレンズを、この実施例の方法によって製造できる。
本発明による方法を実施する装置は、前記装置に、前記モールドを固定するための加工品ホルダと、前記ダイスを固定するためのツールホルダと、位置決め装置とが設けられ、前記ツールホルダは、前記位置決め装置によって前記加工品ホルダに対して移動可能な直線ガイドと、前記直線ガイドに対して摺動可能に案内され且つ所定の弾性プリテンション力の作用の下で前記直線ガイドの止めに当たるダイスホルダとが設けられたことを特徴とする。ダイスは、位置決め装置によって、上記パターンに従ってモールドに対し連続的な位置に配され、モールドに押される。ダイスが位置決め装置により次の位置に移動するときダイスホルダは止めに当たっており、ダイスが位置決め装置によってモールドに押されるとき、ダイスホルダはその止めから離れ、ダイス及びモールドに、弾性プリテンション力に対応する力を及ぼす。弾性プリテンション力は、例えば機械的スプリングにより提供される。機械的スプリングの弾性率の適切な選択により、ダイスのモールドを押す力が、その押している方向に平行な方向に関してダイスホルダの占める位置に実質的に依存しないことが達成される。従って、上記力は正確に規定された値を有し、この結果、モールド形状が正確に実現される。
本発明による方法を実施する装置の特別な実施例では、ダイスは、上記パターンの連続する位置において、相互に垂直な２つのピボット軸を中心に所定の角度を回動し、前記ダイスホルダは、前記直線ガイドに対して摺動可能に案内される第１の担体と、前記第１の担体のピボットガイドに対して回動可能な第２の担体と、前記第２の担体のピボットガイドに対して回動可能な第３の担体とが備えられ、前記ダイスは前記第３の担体に固定され、前記相互に垂直な２つのピボット軸が、それぞれ、前記第１の担体のピボットガイドの仮想軸、及び前記第２の担体のピボットガイドの仮想軸を形成することを特徴とする。二つのピボットガイドを使用することによって、二つのピボット軸を中心にダイスが回動する角度を別個に設定することを可能とする。上記角度を設定するために、例えば、それ自体一般的且つ既知の二つのアクチュエータを使用することができる。
本発明による方法で製造される光学素子の特性が特に有効に用いられる液晶表示パネルは、前記光学素子がマイクロレンズアレイであり、前記液晶表示パネルは、画像表示素子のパターンを有し且つ光が入射する側において前記マイクロレンズアレイと隣接する液晶層が設けられ、前記マイクロレンズアレイの各光学サブ素子が、前記液晶層の前記画像表示素子のうちの一つに対応することを特徴とする。
本発明による方法で製造される光学素子の特性が特に有効に用いられる画像表示装置は、前記光学素子がマイクロレンズアレイであり、前記画像表示装置に、光放射源と、ビーム形成光学システムと、少なくとも一つの画像表示パネルを持つ画像表示システムと、投影レンズのシステムと、画像投影スクリーンとが設けられ、前記画像表示パネルは、前記光放射源に対向する側に前記マイクロレンズアレイが設けられることを特徴とする。
本発明による方法で製造される光学素子の特性が特に有効に用いられるフラットパネル表示装置は、前記光学素子がマイクロレンズアレイであり、前記フラットパネル表示装置は、照明ビームを供給するための照明システムと、表示されるべき画像情報を変調するための画像表示素子の規定されたパターンを伴う画像表示パネルと、前記マイクロレンズアレイが、前記照明システムと前記画像表示パネルとの間に配され且つ前記画像表示パネルの画像表示素子の前記パターンに対応する光学サブ素子のパターンが設けられることを特徴とする。それ自体既知のマイクロレンズアレイが備えられたこのようなフラットパネル表示装置（バックライト表示）は、例えば、１９９４年春のDisplay DiviceのＮｏ９の１４−１７ページのSakae Araiによる記事“開発者はノートブックコンピュータ用のＴＦＴ  ＬＣＤを開拓する”から既知である。
上述の画像表示装置及びフラットパネル表示装置で使用される画像表示パネルは、例えば、上記のような液晶ディスプレイ即ちＬＣＤである。このような表示パネルは、二次元アレイに配され且つ個別に調整可能な多数の画像表示素子即ち画素を有する。個々の画素の各々は、画素の光学的に有効な表面領域を制限する電気調整素子を持つ。各光学サブ素子が表示パネルの画素の一つに対応するマイクロレンズアレイは、表示パネルに入射する光を、個別の各画素の光学的に有効な表面領域上に合焦する。本発明による方法で製造されるマイクロレンズアレイが比較的広い光学的有効表面領域を有するので、ビーム形成光学システムから到来する光ビームは、個々の画素の光学的に有効な部分にほぼ完全に合焦され、この結果、表示装置は、特に強い光を出力する。表示装置で使用される表示パネルは、例えば、それ自体既知のディジタルマイクロミラーデバイス即ちＤＭＤであってもよいことに注意されたい。
本発明による方法で製造される光学素子の特性が特に有効に使用される固体画像センサは、前記光学素子がマイクロレンズアレイであり、前記固体画像センサ装置が、電荷結合素子と放射を電荷に変換する画像センサ素子のパターンとが表面に設けられ且つ放射の入射側において前記マイクロレンズアレイに隣接する半導体本体を有し、前記マイクロレンズアレイの各光学サブ素子が前記半導体本体の画像センサ素子に対応することを特徴とする。
本発明による方法で製造される光学素子の特性が特に有効に使用されるカメラは、前記光学素子がマイクロレンズアレイであり、前記カメラは、対物レンズシステムと、前記対物レンズシステムに対向する側に前記マイクロレンズアレイが設けられる少なくとも一つの固体画像センサ装置を持つ画像センサシステムとが設けられることを特徴とする。
カメラで使用される固体画像センサ装置は、二次元アレイに配された多数の画像センサ素子を有する。固体画像センサ装置の光学的に有効な表面領域は、画像センサ素子により発生される電荷が伝送される手段による電荷結合素子即ちＣＣＤの存在によって制限を受ける。各光学サブ素子が画素像センサ装置の画像センサ素子の１つに対応するマイクロレンズアレイは、画像センサ装置に入射する光を、個々の画像センサ素子の光学的に有効な表面領域上に合焦する。本発明による方法で製造されるマイクロレンズアレイは比較的広い光学的有効表面領域を有するので、対物レンズシステムからの光が個々の画像センサ素子の光学的に有効な部分上にほぼ完全に合焦され、その結果、固体画像センサ装置は、特に高い感光性を持つ。
本発明による方法で製造される光学素子の特性が特に有効に使用されるカラー画像管用のフロントパネルを製造する方法は、前記フロントパネルの内側に感光性材料の層が設けられ、前記フロントパネルが、前記フロントパネルの内側に配されたシャドウマスクを介して点型光源によって照明され、前記光学素子が前記シャドウマスクと前記点型光源との間に配されることを特徴とする。
本発明による方法で製造される光学素子の特性が特に有効に使用されるカラー画像管用のフロントパネルを製造する装置は、前記装置が、点型光源と、前記光学素子用の第１のホルダと、前記フロントパネル及び前記フロントパネルの内側に配されるべきシャドウマスクのための第２のホルダとが設けられることを特徴とする。
シャドウマスクを介する点型光源によるフロントパネル上の感光性材料の照射及び次に行われるその照射された材料の現像により、フロントパネルの内側に、開口を有するいわゆる対称ブラックマトリクスが形成される。その開口には、画像管の次の製造工程の間の蛍光物質が堆積される。使用される光学素子は、ファセットの二次元直交アレイを有するファセットレンズである。ファセットレンズの使用により、シャドウマスクによりフロントパネル上に形成される光源の投影が、フロントパネル及びシャドウマスク用に設計されるカラー画像管において、フロントパネル上にシャドウマスクにより形成される電子ビームの合致点に一致するということが実現される。カラー画像管用のフロントパネルを製造するこのような方法は、例えば、ヨーロッパ特許出願公開第０２９４８６７号から既知である。使用されるファセットレンズが本発明による方法で製造されると、このレンズは個々のファセットの間に非常に小さな間隔を持ち、この結果、個々のファセットの間の境界により形成されるファセットの不連続性もとりわけ小さくなる。不連続性が比較的小さいので、フロントパネルの十分均一な照明が実現される。
【図面の簡単な説明】
第１図は、本発明による方法を実現するための装置の平面図である。
第２図は、図１のＩＩ−ＩＩ線の断面図である。
第３図は、第２図の装置のダイスをモールドに押す工程を示す。
第４Ａ図は、図１の装置により製造されたモールドの平面図である。
第４Ｂ図は、第４Ａ図のＩＶｂ−ＩＶｂ線の断面図である。
第４Ｃ図は、第４Ａ図のＩＶｃ−ＩＶｃ線の断面図である。
第５Ａ図は、第４Ａ図のモールドで製造されるレンズアレイの一部の平面図である。
第６図は、本発明による方法を実現する装置の他の実施例のツールホルダ及びダイスホルダを、一部を側面図、一部を断面図で示す。
第７図は、第６図のツールホルダ及びダイスホルダを、一部を正面図、一部を断面図で示す。
第８Ａ図は、第６図に示したような装置の他の実施例により製造されたモールドの平面図である。
第８Ｂ図は、第８Ａ図のＶＩＩＩｂ−ＶＩＩＩｂ線の断面図である。
第８Ｃ図は、第８Ａ図のＶＩＩＩｃ−ＶＩＩＩｃ線分の断面図である。
第９Ａ図は、第８Ａ図のモールドで製造されるファセットレンズの一部の平面図である。
第９Ｂ図は、第９Ａ図のＩＸｂ−ＩＸｂ線の断面図である。
第９Ｃ図は、第９Ａ図のＩＸｃ−ＩＸｃ線の断面図である。
第１０Ａ図は、第１図の装置により製造されるモールドで作られるレンズアレイを持つ画像表示装置を概略的に示す。
第１０Ｂ図は、第１０Ａ図の画像表示装置の多数の画素を概略的に示す。
第１０Ｃ図は、第１０Ａ図の画像表示装置のマイクロレンズアレイの一部を示す。
第１１Ａ図は、固体画像センサ装置を備えたカメラを概略的に示す。
第１１Ｂ図は、第１１Ａ図のカメラの固体画像センサ装置の一部を概略的に示す。
第１２図は、カラー画像管用のフロントパネルの製造のための、ファセットレンズを有する装置を概略的に示す。
発明を実施するための最良の形態
第１図及び第２図に示したような本発明による方法を実現する装置１は支持面５を持つ加工品ホルダ３を有する。この支持面５は、Ｘ方向と、このＸ方向に垂直なＹ方向とに平行に延在し、この支持面５上には、製造されるべきモールド７を配置することができ、そのモールド７を第２図に概略的に示されたクランプ手段９により固定することができる。装置１は、第１および第２図に概略的に示された位置決め装置１１を更に有する。この位置決め装置１１は、Ｘ方向に平行に延在する直線ガイド１３とＸスライダ１５とを有する。Ｘスライダ１５は、伝達装置１９を介して電気モータ２１により駆動可能なスピンドル１７により、直線ガイド１３に沿って移動可能である。スピンドル１７は、装置１のフレーム２３に対して軸支され、電気モータ２１はフレーム２３に固定される。Ｘスライド１５にはＹ方向に平行に延在する直線ガイド２５が設けられており、Ｙスライド２７は、伝達装置３１を介して電気モータ３３により駆動できるスピンドル２９によって、Ｙ方向に移動可能である。スピンドル２９はＸスライド１５に対して軸支され、電気モータ３３はＸスライド１５に固定される。第２図に示すように、Ｙスライド２７には、Ｘ方向及びＹ方向に垂直なＺ方向に延在する直線ガイド３５が設けられている。Ｚスライダ３７は、伝達装置４１を介して電気モータ４３により駆動可能なスピンドル３９により、直線ガイド３５に沿って移動可能である。スピンドル３９はＹスライド２７に対して軸支され、電気モータ４３はＹスライダ２７に固定される。第１図では、Ｚスライド３７に関して伝達装置４１及び電気モータ４３のみが見えていることに注意されたい。
第２図に更に示すように、ツールホルダ４５は、Ｚスライド３７に固定され、このホルダには、Ｚ方向に平行に延在する中心線４９を持つ円柱状の段付きチャンバ４７が設けられている。この段付きチャンバ４７は、第１チャンバ部分５１と、この第１チャンバ部分５１よりも小さな直径の第２チャンバ部分５３とを有する。第２チャンバ部分５３は、第２チャンバ部分５３を基準にしてＺ方向に平行に摺動可能に案内され且つ円形端５９が設けられたダイスホルダ５７の円形シャフト５５用の直線ガイドを構成する。この円形端５９は、第１チャンバ部分５１内に配された機械的なヘリカルスプリング６１の所定のプリテンション力（pretension force）の影響の下、段付きチャンバ４７の肩部により形成される止め６３に当たる。第２図に示すように、ダイス６５は、滑らかな球状ダイス面６７を有する状態でダイスホルダ５７に固定され、例えば、鋼鉄又はサファイアから製造される。ツールホルダ４５及びダイスホルダ５７は、位置決め装置１１により、加工品ホルダ３に対してＸ方向、Ｙ方向及びＺ方向に平行な方向に、共に移動可能可能である。
モールド７は第４Ａ，Ｂ，Ｃ図に詳細に示されており、以下にさらに詳細に記載される方法に従って、装置１により製造される。モールド７は、例えば、いわゆるレンズアレイ又はいわゆるファセットレンズ（facet lens）のような、互いに或るパターンに配された相互に隣接する光学サブ素子が設けられた光学素子の製造のために設計される。第５Ａ，Ｂは、斯かるレンズアレイ６９の一例を示す。レンズアレイ６９の光学サブ素子は、二次元の六角形配列に従ってレンズアレイ６９の一方の側７３に設けられた球面レンズ７１である。第５Ｂ図が示すように、レンズアレイ６９は他方の側に平面７５が設けられている。レンズアレイ６９は、それ自体は既知である通常の複製技術（例えば、モールド７を紫外線の作用により硬化する液状合成樹脂で満たし、次に、図４Ｂ及びＣに示される、そのモールド７の合成樹脂の屈折率に対応する屈折率を有する透明な合成材料から製造されたプレート７７でそのモールド７を覆う）を用いて、モールド７により製造される。第４Ａ図では、プレート７７はその輪郭のみが破線で示されていることに注意されたい。モールド７の合成樹脂は、透明プレート７７を介して紫外線が照射されて硬化し、上記透明プレート７７及びモールド７により形成される光学サブ素子７１のアレイから構成される第５Ａ，Ｂ図に示されるレンズアレイ６９が形成される。
モールド７は、例えば、銅、アルミニウム、亜鉛又はこれら材料を有する合金のような延性金属から製造される。第４Ａ図に示すように、モールド７は、平坦な底８１を持つモールドチャンバ７９を有する。このチャンバの形状８３は、製造されるべき光学素子６９のサブ素子７１のパターンに対応するように、上記方法に従って装置１により設けられる。第４Ａ図は、簡略化のためにモールド形状８３の数箇所の部分のみを示していることに注意されたい。この方法によれば、モールドチャンバ７９の底８１には、例えばダイヤモンドミリング工具によって、通常のそれ自体既知の方法で、光学素子６９に望まれる光学品質の滑らかな面が最初に与えられる。
次に、モールド７は、モールドチャンバ７９の底８１がＸ及びＹ方向に平行に延在するように、装置１の部品ホルダ３に固定される。ダイス６５の球状ダイス面６７は、一つの光学サブ素子、即ち製造されるべき光学素子６９の単一球面レンズ７１に対応する。この方法によれば、モールドチャンバ７９の底８１のモールドの形状８３は、製造されるべき光学素子６９のサブ素子７１の六角形パターンに従って、ダイス６５が位置決め装置１１により底８１の連続する位置に配され、ダイス６５が各位置において底８１に跡がつくように押されることにより設けられる。ダイス６５の押圧工程は第３図に詳細に示されている。ダイス６５がＸスライド１５及び／又はＹスライド２７の移動によって次の位置に移動した後（この間、ダイスホルダ５７はチャンバ４７の止め６３に当たっている）、ダイス６５は、Ｚスライド３７の移動によって底８１に跡がつくように押される。第３図に示すように、ダイスホルダ５７の円形端５９は止め６３から離れ、この結果、ダイス６５は、機械的ヘリカルスプリング６１の所定のプリテンション力に対応した力で底８１に跡がつくように押される。ヘリカルスプリング６１のプリテンション力及び弾性モジュールを適切に選択することによって、円形端５９の隙間が存在するときのヘリカルスプリング６１のプリテンション力の増加を無視できるほど小さくすることが達成され、この結果、底８１に跡がつくように押されるダイス６５の力は、押されている間、Ｚ方向に平行なＺスライダ３７及びツールホルダ４５により占められる位置に実質的に依存しない。それに応じて、Ｚスライド３７の位置精度に厳密な条件を課す必要はない。
一方、ダイス６５がモールド７の底８１に跡がつくように押されると、ダイス面６７の下に存在するモールド７の延性金属が可塑的に変形され、この結果、この金属は、ダイス面６７、即ち光学素子６９の光学サブ素子７１に対応する形状を呈する。ダイス６５は光学素子６９のパターンに従って連続位置に跡がつくように繰り返し押され、底８１に完全なモールド形状８３が形成される。
ダイス６５がモールド７に跡がつくように押される力を適切に選択することによって、モールド７の延性金属はダイス６５と底８１との間の接触面の専らすぐ近くにおいて可塑的に変形することが達成されることに注意されたい。上記接触面から幾分離れた距離における可塑的変形は無視できるほど小さく、この結果、上記接触面に隣接し且つモールド７に既に形成されたモールド形状８３の部分は、サブ素子に対応する現在の形状を跡がつくように押しているときに変形されない。接触面から幾分離れた距離における無視できる小さな変形は、モールド７の延性金属が、個々の結晶の間に空洞（cavity）が存在した状態で、多結晶構造を有するという事実から説明できると考えられる。比較的小さな力が延性金属の面に作用すると、結晶と格子の内側との間のせん断は起きないが、専ら結晶の間に存在する空洞は、ダイス６５の下に存在する延性金属の圧縮によって小さくなる。せん断が起きないので、モールド形状８３の既に形成された部分の可塑変形は生じないであろう。より強い力の場合にせん断が結晶間且つ格子内に生じると、このため、可塑変形がダイス６５から幾分離れた距離に存在する金属に生じ、球状ダイス面６７の比較的浅い陥入深さを考慮すると移動する金属の量は比較的少ないため且つこの移動する金属は比較的大きな体積に渡って拡散するため、上記の変形は比較的小さいであろう。
第４Ａ，Ｂ，Ｃ図に示され且つ第５Ａ図のレンズアレイ６９の製造に使用されるモールド７は、球面跡８５の二次元六角形アレイを有する。第４Ｂ，Ｃ図に示された隣接する跡のピッチｓは示した例では約０．１５ｍｍであり、一方、第４Ｂ，Ｃ図に示す陥入深さｄは約６μｍである。示した実施例によるこのようなアレイは、約０．５ｍｍの半径及び約１０Ｎのプリテンション力を持つ球状ダイス面６７により形成される。ダイス面６７は光学素子６９の単一光学サブ素子７１に対応するため、延性金属は、ダイス６５で押されるときにダイス面６７の周りで適切に変形し、この結果、特に鋭い境界８７が、モールド形状８３を形成する個々の跡８５の間に形成される。第４Ｂ，Ｃ図に示すように、モールド７の跡８５の間の境界８７の各々は円の一部を形成する、即ち境界８７の各々は球状ダイス面６５の緯度に平行な部分に対応する。従って、モールド７は特に高い寸法精度を有する、即ち、実質的にモールド形状８３の表面上の全ての点が、跡８５の一つの球面の部分を形成する。モールド７により製造される光学素子６９は、結果として、特に広い有用な光学面を有する、即ち、実質的に光学素子６９の側７３における全ての点が光学サブ素子７１の一つの球面の一部を形成する。
第５Ａ，Ｂ図に示され且つモールド７により製造されるレンズマトリクス６９は、いわゆるマイクロレンズアレイである。このようなマイクロレンズアレイは、例えば１ｍｍよりも小さな直径の多数のマイクロレンズを有する。使用されるダイス６５のダイス面６７は一つの光学サブ素子（即ち、レンズアレイ６９の一つのマイクロレンズ７１）にのみに対応するので、ダイス６５は、簡単な方法で製造することができる。実際、モールド７の底８１の表面の滑らかさは、モールド７の底８１へのダイス６５の押圧工程により影響されないことがわかった。底８１は先ず本発明により所望の表面の滑らかさが設けられ、次にダイス６５によりモールド形状８３が与えられるので、所望の表面の滑らかさが比較的簡単な方法で達成される。
一方、モールド形状８３を設けている間、モールド７の底８１とダイス面６７との間の埃及び塵の粒子の存在は、このような埃及び塵の粒子がモールド形状８３に損傷を与えることがあるため、防止すべきである。従って、ダイス６５によりモールド形状８３を設けることは、例えば調整された空間のような実質的な無塵環境において実施されるべきである。装置１の特別な実施例において、ツールホルダ３は、第２図の破線で示され動作中に例えば水で満たされる液体槽８９内に配される。この特別な実施例において、モールド７は、モールド形状８３が設けられている間液体槽８９に浸され、これによって、ダイス６５とモールド７の底８１との間の埃及び塵の存在は、簡単且つ効果的な方法で防止される。
第６図及び第７図は、本発明による方法を実施する装置９５の他の実施例のツールホルダ９１及びダイスホルダ９３を概略的に示す。部品ホルダ９１は、装置１のツールホルダ４５と実質的に同一であり、ツールホルダ４５及び９１並びに装置１及び９５の対応する部分は、以後同一番号が与えられる。ダイスホルダ５７と同様、ダイスホルダ９３は、ツールホルダ９１の第２チャンバ部分５３中を摺動可能に案内される円形シャフト９７と、第１チャンバ部分５１に配された機械的ヘリカルスプリング１０１の所定のプリテンション力の作用の下で段付チャンバ４７の止め６３に当たる円形端９９とを有する。円形シャフト９７及び円形端９９は、ダイスホルダ９３の第１のフォーク形状担体１０３に属する。第６図及び第７図に示すように、第１の担体１０３は、ピボットガイド１０５，１０７と協働する２つの円形スロット１１１，１１３が設けられたダイスホルダ９３の第２の担体１０９用の２つの円形ピボットガイド１０５，１０７を有する。第２の担体１０９は、ピボットガイド１０５，１０７を使用して、Ｘ方向に平行なピボットガイド１０５，１０７の第１仮想ピボット軸１１５を中心に第１担体１０３に対して回動可能である。第６図及び第７図に更に示すように、第２担体１０９は、ピボットガイド１１７，１１９と協働する二つの円形スロット１２３，１２５が設けられるダイスホルダ９３の第３の担体１２１用の二つの円形ピボットガイド１１７，１１９を有する。第３の担体１２１は、ピボットガイド１１７，１１９の使用によって、Ｙ方向に平行且つ第１仮想ピボット軸１１５と交差するピボットガイド１１７，１１９の第２仮想ピボット軸１２７を中心に第２の担体１０９対して回動可能である。ダイス１２９は、第３担体１２１に固定され、平坦な長方形のダイス面１３１が設けられる。第１の担体１０３に対する第２の担体１０９と第２の担体１０９に対する第３の担体１２１とのニュートラル位置において、ダイス面１３１は、Ｘ方向及びＹ方向に平行に延在し、第１仮想ピボット軸１１５及び第２仮想ピボット軸１２７の交点が、ダイス面１３１の中心Ｍに位置する。
さらに第６図及び第７図に示すように、それ自体通例且つ既知である第１の線形電気的アクチュエータ１３３は第１の担体１０３に固定され、このアクチュエータの出力シャフト１３５は、第２の担体１０９に固定された結合ロッド１３７に結合される。第１のアクチュエータ１３３と同一の第２の線形電気的アクチュエータ１３９は第２の担体１０９に結合されており、第３の担体１２１に固定された結合ロッド１４３に結合された出力シャフト１４１を有する。第１の仮想ピボット軸１１５を中心とした第２の担体１０９のピボット角度αは、第１のアクチュエータ１３３により調整可能であり、一方、第２の仮想ピボット軸１２７を中心とした第３の担体１２１のピボット角度βは、第２のアクチュエータ１３９により調整可能である。第６図及び第７図に示すように、ダイスホルダ９３の円形シャフト９７は、弾性的に変形可能な薄膜１４５を通じて第１のチャンバ部分５１に固定され、この結果、担体１０３，１０９及び１２１並びにダイス１２９はツールホルダ９１の中心線４９を中心に回転できない。
装置９５は、第８Ａ，Ｂ，Ｃ図に示すモールド１４７の製造に使用され、いわゆるファセットレンズの製造用に設計される。第９Ａ，Ｂ，Ｃ図は、ファセットレンズ１４９の一例を示す。このファセットレンズ１４９は、一方の側に平坦面１５１を有し、他方の側１５３に矩形状の光学サブ素子１５５の二次元的に直交するアレイを有する。各サブ素子１５５は、例えば、ファセットレンズ１４９の基準面（例えば、平坦面１５１）に対して２つの相互に垂直なピボット軸を中心に回動した平坦なレンズ面１５７を有する。ファセットレンズ１４９は、例えば、レンズアレイ６９を製造するための上記の複製技術のような複製技術により、モールド１４７によって製造される。
モールド７と同様に、モールド１４７は延性金属で作られ、モールド１４７の底１５９は、ファセットレンズ１４９に要求されるような光学品質の表面滑らかさが設けられる。モールド１４７は、モールド１４７の底１５９がＸ方向及びＹ方向に対し平行に位置するように、装置９５の加工品ホルダ３に固定される。ダイス１２９の矩形状の平坦なダイス面１３１は、ファセットレンズ１４９の１つの光学サブ素子１５５に対応する。この方法によれば、モールド１４７の底１５９には、ファセットレンズ１４９に対応するモールド形状１６１が与えられ、ダイス１２９は、ファセットレンズ１４９のサブ素子１５５の直交パターンに従って、装置９５の位置決め装置１１により底１５９の連続する位置を移動し、この間、ダイス１２９は各位置において、アクチュエータ１３３，１３９によって仮想ピボット軸１１５，１２７を中心に予め規定された角度α及びβを回動し、次にダイスは、ヘリカルスプリング１０１の所定のプリテンション力に対応する力で底１５９に跡がつくように押される。角度α，βは、個別に調整可能である。加えて、角度α及びβは、連続して製造されるモールドに対して異なるように調整されてもよく、この結果、装置９５で多数の異なるモールドを製造することができる。第８Ａ図は、簡略化のため、モールド形状１６１の数箇所のみを示していることに注意されたい。
装置１に関しても先に記載したように、装置９５は、比較的小さな寸法である多数の光学サブ素子を有する光学素子の製造に特に適する。第９Ｂ，Ｃ図に示すように、モールド１４７により製造されるファセットレンズ１４９は、個々のサブ素子１５５の間に、ファセットレンズ１４９に放射される光の望ましくない散乱を引き起こす不連続な境界１６３を有する。ファセットレンズ１４９が、例えば、点光源とフラットスクリーンとの間に置かれると、上記の散乱によりこのスクリーンの照明の不均一性が生じる。モールド１４７により製造されたファセットレンズ１４９は、各々が比較的小さな寸法（例えば、１ｍｍ又はそれ以下）である多数のサブ素子１５５を有するので、不連続な境界１６３は、上記不均一性が比較的小さく且つ上記スクリーンの均一照明が得られるような比較的小さい寸法を有する。
第１０Ａは、本発明による方法により製造されたマイクロレンズアレイ１７１を有する画像表示装置１６９を概略的に示す。それ自体は既知であるマイクロレンズアレイが設けられた斯かる画像表示装置は、例えば、ヨーロッパ特許公開公報ＥＰ−Ａ−０５７４２６９号から既知である。画像表示装置１６９は。光放射源１７３及び反射体１７５を有する。放射源１７３により放射された光は、簡略化のため図１０Ａに単一コンデンサレンズ１７９として表される集束光システムによって平行光ビーム１７７の形になる。画像表示装置１６９は、例えば、第１０Ａ図に概略的に示された液晶表示パネル１８１のような画像表示システムを更に有する。この表示パネル１８１は、それ自体は通常の且つ既知であり画像表示素子即ち画素１８５の二次元直交アレイを有する液晶層１８３が設けられる。液晶層１８３は側端部のみが第１０Ａ図に示されていることに注意されたい。第１０Ｂ図に示すように、画素１８５の各々は、概略的にしか示されていない電子スイッチング素子１８９によって囲まれる光学的に有効な部分１８７を有する。このスイッチング素子によって、画素１８５の光学的に有効な部分１８７は個別に光学的に調整可能である。第１０Ｂ図が示すように、各画素１８５の光学的に有効な部分１８７は、スイッチング素子１８９の存在により、画素１８５の中心部分に限定される。第１０Ａ図に示すように、液晶表示パネル１８１は、液晶層１８３の光が入射する側１９１に、上述のマイクロレンズアレイ１７１が設けられる。第１０Ｃ図に示すように、マイクロレンズアレイ１７１は、各マイクロレンズ１９３が液晶層１８３の画素１８５の一つに対応する球状マイクロレンズ１９３の二次元直交マトリクスを有する。マイクロレンズアレイ１７１は、液晶層１８３の個々の画素１８５の光学的に有効な面１８７上に平行光ビーム１７７を合焦する。第１０Ａ図に示すように、画像表示装置１６９は更にフィールドレンズ１９５及び投影スクリーン１９９を有し、このフィールドレンズにより、表示パネル１８１からの光が、簡略化のため単一プロジェクションレンズ１９７として表示される投影レンズシステムに向けて集光される。マイクロレンズアレイ１７１は本発明による方法によって製造されたため、このマイクロレンズアレイ１７１は比較的大きな有効光学面を持ち、この結果、平行光ビーム１７７は非常に限られた程度でしか散乱せず、液晶層１８３の個々の画素１８５の光学的に有効な面１８７上にほぼ完全に合焦される。従って、画像表示装置１６９は特に大きな出力を有する。
第１１Ａ図は、本発明による方法によって製造されたマイクロレンズアレイ２０３が設けられたカメラ２０１を概略的に示す。このカメラ２０１は、簡略化のため第１１Ａ図に単一対物レンズ２０５として示された対物レンズシステムを有する。カメラ２０１は、更に、第１１Ａ図に概略的に示された固体画像センサ装置２０７を持つ画像センサシステムを有し、対物レンズ２０５に対向する側マイクロレンズアレイ２０３が設けられる。マイクロレンズアレイ２０３及び固体画像センサ装置２０７は、その側端部のみが第１１Ａ図に示されていることに注意されたい。固体画像センサ装置２０７は、第１１Ｂ図に示されている。それ自体は既知であるマイクロレンズアレイが備えられたこのようなＩＴ型（Interline Type）の固体画像センサ装置は、例えば日本国特許公開公報平成１−２５７９０１号に開示されている。第１１Ｂ図が示すように、固体画像センサ装置２０７は半導体本体２０９を有する。この半導体本体２０９の表面２１１には、光を電荷に変換する画像センサ素子即ちフォトダイオード２１３の2次元直交アレイが備えられている。この電荷は、いわゆる垂直電荷結合デバイス２１５と水平電荷結合デバイス２１７とのシステムを通じて電子読取ユニット２１８に送られる。電荷結合デバイス２１５，２１７は、例えばアルミニウムの保護層により、光からシールドされる。第１１Ｂ図から明らかなように、固体画像センサ装置２０７の光学的に有効な面の領域は、ホトダイオード２１３の領域に限定される。明確化のために第１１Ｂ図には示されていないマイクロレンズアレイ２０３は、第１０Ｃ図に示されたマイクロレンズアレイ１７１に対応する球状マイクロレンズ２１９の二次元直交アレイを有する。各マイクロレンズ２１９は、固体画像センサ装置２０７のフォトダイオード２１３の１つに対応する。固体画像センサ装置２０７の光入射側のマイクロレンズアレイ２０３は、対物レンズ２０５を経由した固体画像センサ２０７上の入射光を、個々のフォトダイオード２１３の光学的に有効な面上に合焦する。マイクロレンズアレイ２０３は本発明による方法によって製造されたので、マイクロレンズアレイ２０３は光学的に有効な広い表面領域を持ち、この結果、固体画像センサ装置２０７上の入射光は非常に限られた程度でしか散乱せず、個々のフォトダイオード２１３の光学的に有効な表面領域にほぼ完全に合焦される。従って、ここで使用されるカメラ２０１及び固体画像センサ装置２０７は、特に高い感光性を有する。本発明による方法によって製造されたマイクロレンズアレイは、使用される電荷結合デバイスが必要な画像センサ素子を備えたＦＴタイプ（Frame Transfer type）の固体画像センサ装置、及び、例えば“静止画”画像センサ装置にも適応可能であることに注意されたい。
第１２図は、カラー画像管用のフロントパネル２２３を製造する装置２２１を概略的に示す。装置２２１は、本発明による方法によって製造されるファセットレンズ２２５が設けられる。それ自体は既知であるファセットレンズが設けられたこのような装置は、例えばヨーロッパ特許公開公報ＥＰ−Ａ−０２９４８６７号から既知である。第１２図に示すように、装置２２１は、点型光源２３１が中心に配された底２２９を持つ筐体に２７を有する。この筐体に２７には、ファセットレンズ２２５用の第１のホルダ２３３、及び装置２２１により製造されるべきフロントパネル２２３用の第２のホルダ２３５が存在する。第１２図に示すように、フロントパネル２２３に属するシャドウマスク２３９は、フロントパネル２２３の内側２３７において第２ホルダ２３５上に配される。シャドウマスク２３９は、フロントパネル２２３とシャドウマスク２２９を組み込むカラー画像管に、フロントパネル２２３に対してシャドウマスク２３９により占められる位置に対応する位置に存在する。
フロントパネル２２３の内側２３７には、装置２２１により、開口が設けられたいわゆる対称ブラックマトリクスが設けられる。フロントパネル２２３の製造時に、次の行程の間にブラックマトリクスの開口に蛍光物質が堆積され、この結果、必要な蛍光体ドットが設けられる。この目的のため、フロントパネル２２３の内側２３７には、最初に、例えば通常のそれ自体既知であるポジ型フォトレジストのような感光性材料の層が設けられる。次に、フロントパネル２２３上の感光性材料が装置２２１によりシャドウマスク２３９を介して露光され、その後、露光された材料は現像液で現像される。この方法で形成されるべきブラックマトリクスの開口は、シャドウマスク２３９により関連するカラー画像管内に形成される電子ビームの入射点に一致しなければならないため、及び関連するカラー画像管内の電子ビームは一般に湾曲経路を辿るため、光源２３１の光は、シャドウマスク２３９によりフロントパネル２２３上に形成される光源２３１の投影が電子ビームの上記入射点に一致するように、ファセットレンズ２２５によって偏向されなければならない。この目的のためのファセットレンズ２２３は、第９Ａ図に示されたファセットレンズ配列１４９に対応する矩形状の平坦なファセット（facet）２４１の二次元直交配列を有する。このファセットは全てが、ファセットレンズ２２５の面１５１に平行に延在する相互に垂直な二つのピボット軸を中心に、電子ビームの上記経路からの値の角度で回動したものである。第９Ａ，Ｂ，Ｃ図に示されたファセットレンズ１４９を基準にして上述したように、本発明により製造されたファセットレンズ２２５は、比較的小さな寸法の多数のサブ素子２４１を有し、この結果、ファセットレンズ２２５に入射する光源２３１からの光は非常に限られた程度しか散乱せず、ファセットレンズ２２５によるフロントパネル２２３のとりわけ均一な照明が実現される。
上述の光学素子６９，１４９，１７１，２０３，２２５は全てが、光学サブ素子７１，１５５，１９３，２１９，２４１の規則的なパターンを有し、光学素子６９，１７１，２０３の光学サブ素子７１，１９３，２１９は互いに同一である。本発明による方法により同一ではない光学サブ素子を持つ光学素子を製造することも可能であることに注意されたい。上述の例では、ファセットレンズ１４９，２２５のファセット１５５，２４１は相互に異なる角度を回動したものである。しかしながら、この方法によれば、相互に異なるレンズが備えられたレンズアレイを製造することもできる。しかしながら、これを実現するため、製造されるべきレンズアレイの異なるレンズの数に対応した数の異なるダイスを使用しなければならない。加えて、この方法は、光学サブ素子が異なるパターンで配され、光学サブ素子が不規則なパターンで配され、又は異なる型式のサブ素子が使用される光学素子の製造を考慮している。光学サブ素子が、レンズマトリクス６９，１７１，２０３及びファセットレンズ１４９，２２５のような凸レンズ、凹レンズ又は平面レンズではなく、光学サブ素子が、例えば、平面鏡、凸面鏡又は凹面鏡である方法により光学素子を製造することも可能である。
上述のダイス６５，１２９は、製造されるべき光学素子６９，１４９，１７１，２０３，２２５の単一光学サブ素子７１，１５５，１９３，２１９，２４１に対応するダイス面６７，１３１を有する。本発明による方法において、製造されるべき光学素子の二つ以上の光学サブ素子に対応するダイス面が備えられたダイスを使用することも可能であることに注意されたい。このような単一片多重型のダイスの製造はより多くの時間を必要とするが、この多重ダイスによって、モールド形状の提供がより迅速に進む。加えて、このような多重ダイスは、Ｘ及びＹ方向において、モールドに対してより高精度に位置が特定されなければならず、さもないと、光学サブ素子間の間隔のずれが規則的な間隔で発生し、製造されるべき光学素子の光学的ずれとなる。単一ダイスが使用されると、光学サブ素子間の間隔のずれは、隣接するサブ素子のペアの間で生じ、その結果、規則的に繰り返されるずれは生じない。
光学素子が紫外線の作用で硬化する合成樹脂材料から製造される上記の複製技術の代わりに、他の複製技術（例えば、光学素子が熱硬化性合成樹脂から製造される複製技術）を使用しても良いことに更に注意されたい。
上述のモールド７，１４７は、ダイス６５，１２９によって所望のモールド形状８３，１６１が設けられる平坦な底８１，１５９を有する。この代わりに、平坦ではない底を設けるのに適したダイス用の位置決め装置を備え、平坦ではないモールドの底が設けられてもよいことに注意されたい。平坦ではないモールドの底は、例えば、ピボット角度が大きな傾斜を有するファセットレンズの製造で使用することができる。モールドの底には、例えば、ピボット角度の平均傾斜に対応する湾曲が設けられても良い。このように製造されるモールドの底にファセットを設けると、ダイスを、このモールドの底に対して局所的にごく小さな角度に渡って回動させる必要があるだけであり、この結果、モールドの底は、ダイスの押圧の間に、ごくわずかな程度可塑的に変形し、既に形成された隣接するファセットの可塑変形が防止される。この方法により、例えば、球状又は非球状の基体上に配された球面レンズのパターンが設けられる光学素子を製造することも可能である。
位置決め装置１１の代わりに、他の型式の位置決め装置が使用されても良いことに注意されたい。同様に、装置１，９５に、例えば、ダイスの所定の圧力が油圧シリンダにより供給されるダイスホルダのような異なる型式のダイスホルダが設けられても良い。
図に単に概略的に示され且つ先に簡潔に記載された画像表示装置１６９及びカメラ２０１は、それぞれ単一の表示パネル１８１及び単一の固体画像センサ装置２０７を有する。最後に、このような画像表示装置及びカメラは、それぞれ一つ以上の表示パネル及び一つ以上の固体画像センサ装置を有しても良いことに注意されたい。この装置及びカメラの各々は、光ビームを多数の基本色に分割するための、一般的且つそれ自体既知の色分離プリズムのシステムが設けられ、さらに、画像表示装置及びカメラは、各色に対して、それぞれ別個の表示パネル及び別個の固体画像センサ装置が設けられる。
【図１】
0003818320.tif 000002
【図２】
0003818320.tif 000003
【図３】
0003818320.tif 000004
【図４ａ】
0003818320.tif 000005
【図４Ｂ】
0003818320.tif 000006
【図４Ｃ】
0003818320.tif 000007
【図５Ａ】
0003818320.tif 000008
【図５Ｂ】
0003818320.tif 000009
【図６】
0003818320.tif 000010
【図７】
0003818320.tif 000011
【図８Ａ】
0003818320.tif 000012
【図８Ｂ】
0003818320.tif 000013
【図８Ｃ】
0003818320.tif 000014
【図９Ａ】
0003818320.tif 000015
【図９Ｂ】
0003818320.tif 000016
【図９Ｃ】
0003818320.tif 000017
【図１０Ａ】
0003818320.tif 000018
【図１０Ｂ】
0003818320.tif 000019
【図１０Ｃ】
0003818320.tif 000020
【図１１Ａ】
0003818320.tif 000021
【図１１Ｂ】
0003818320.tif 000022
【図１２】
0003818320.tif 000023